(57)【特許請求の範囲】
【請求項１】
安全なメッセージサービス提供装置であり、
登録者端末からユーザ端末に送信されたメッセージに含まれ、第１アドレスから生成された第１インデックスを含む接続要請を、前記ユーザ端末から受信する接続要請受信部と、
前記第１インデックスが前記メッセージサービス提供装置によって予め与えられたインデックスであるか否かを判断し、前記判断の結果、予め与えられた場合にのみ前記第１アドレスを検索するアドレス検索部と、
前記第１アドレスに対応するサイトの安全状態を検索する状態判断部と、
前記安全状態の検索の結果、前記サイトが安全である場合、前記サイトへのリンクを、前記ユーザ端末に提供するリンク提供部と、を含む安全なメッセージサービス提供装置。
【請求項２】
前記第１インデックスと対応する第１アドレスの前記サイトの前記安全状態を周期的に判断し、前記第１アドレスに対応させて前記安全状態を保存する状態判断部をさらに含むことを特徴とする請求項１に記載の安全なメッセージサービス提供装置。
【請求項３】
前記登録者端末から、第２アドレスを含むサイト登録要請を受信する登録要請受信部と、
前記第２アドレスに対応する第２インデックスを生成するインデックス生成部と、
前記第２インデックスを、前記登録者端末に伝送するインデックス伝送部と、を含むことを特徴とする請求項１に記載の安全なメッセージサービス提供装置。
【請求項４】
前記第１インデックスに対する前記接続要請を行った前記ユーザ端末に、前記第１インデックスに相応する報酬を提供する報酬提供部をさらに含むことを特徴とする請求項１に記載の安全なメッセージサービス提供装置。
【請求項５】
前記状態判断部は、前記第２アドレスに対応するサイトの安全状態を判断し、
前記インデックス生成部は、前記第２アドレスに対応するサイトの前記安全状態の判断の結果、前記第２アドレスが安全である場合、前記第２アドレスに対応する前記第２インデックスを生成することを特徴とする請求項３に記載の安全なメッセージサービス提供装置。
【請求項６】
前記インデックス生成部は、前記第２アドレスに対応する前記第２インデックスを、既生成のインデックスと区別されるように生成することを特徴とする請求項３に記載の安全なメッセージサービス提供装置。
【請求項７】
前記状態判断部を介して判断された前記安全状態を、前記第１アドレスに対応して保存する保存部をさらに含むことを特徴とする請求項１に記載の安全なメッセージサービス提供装置。
【請求項８】
前記第１インデックスと前記第２インデックスは、安全なサイトであるということを示すように、同一の慣用文言を含むことを特徴とする請求項３に記載の安全なメッセージサービス提供装置。
【請求項９】
登録者端末からユーザ端末に送信されたメッセージに含まれ、第１アドレスから生成された第１インデックスを含む接続要請を、前記ユーザ端末からメッセージサービス提供装置が受信する接続要請受信段階と、
前記第１インデックスが前記メッセージサービス提供装置によって予め与えられたインデックスであるか否かを判断し、前記判断の結果、予め与えられた場合にのみ前記第１アドレスを検索するアドレス検索段階と、
前記第１アドレスに対応するサイトの安全状態を検索する状態検索段階と、
前記安全状態の判断の結果、前記サイトが安全である場合、前記サイトへのリンクを、前記ユーザ端末に提供するリンク提供段階と、を含む安全なメッセージサービス提供方法。
【請求項１０】
前記第１インデックスに対応する第１アドレスの前記サイトの前記安全状態を周期的に判断し、前記第１アドレスに対応させて前記安全状態を保存する状態判断段階をさらに含むことを特徴とする請求項９に記載の安全なメッセージサービス提供方法。
【請求項１１】
前記登録者端末から、第２アドレスを含むサイト登録要請を受信する登録要請受信段階と、
前記第２アドレスに対応する第２インデックスを生成するインデックス生成段階と、
前記第２インデックスを、前記登録者端末に伝送するインデックス伝送段階と、を含むことを特徴とする請求項９に記載の安全なメッセージサービス提供方法。
【請求項１２】
前記第１インデックスに対する前記接続要請を行った前記ユーザ端末に、前記第１インデックスに相応する報酬を提供する報酬提供段階をさらに含むことを特徴とする請求項９に記載の安全なメッセージサービス提供方法。
【請求項１３】
前記状態検索段階は、前記第２アドレスに対応するサイトの安全状態を判断し、
前記インデックス生成段階は、前記第２アドレスに対応する前記サイトの前記安全状態の判断の結果、前記第２アドレスが安全である場合、前記第２アドレスに対応する前記第２インデックスを生成することを特徴とする請求項１１に記載の安全なメッセージサービス提供方法。
【請求項１４】
前記インデックス生成段階は、前記第２アドレスに対応する前記第２インデックスを、既生成のインデックスと区別されるように生成することを特徴とする請求項１１に記載の安全なメッセージサービス提供方法。
【請求項１５】
判断された前記安全状態を、前記第１アドレスに対応して保存する保存段階をさらに含むことを特徴とする請求項９に記載の安全なメッセージサービス提供方法。
【請求項１６】
前記第１インデックスと前記第２インデックスは、安全なサイトであるということを示すように、同一の慣用文言を含むことを特徴とする請求項１１に記載の安全なメッセージサービス提供方法。
【請求項１７】
コンピュータに、請求項９ないし１６のうちいずれか１項に記載の安全なメッセージサービス提供方法を実行させるために媒体に保存されたコンピュータ・プログラム。
【発明の詳細な説明】
【技術分野】
【０００１】
本発明は、安全なメッセージサービス提供装置及びその方法、並びにそれをコンピュータで実行するためのコンピュータ・プログラムに係り、さらに詳細には、メッセージに含まれたアドレスの安全状態を判断して提供することによって、ユーザ端末に、知ることができないアドレスに接続して発生しうる危険性を防ぐ安全なメッセージサービス提供装置及びその方法、並びにそれをコンピュータで実行するためのコンピュータ・プログラムに関する。
【背景技術】
【０００２】
全国民がスマートフォンを保有している時代であると言える。スマートフォンは、携帯電話とパーソナルコンピュータとを組み合わせたものであり、スマートフォンは、インターネット網に接続することができる。インターネットに接続可能であるために、さまざまな経路を介してウイルスに感染される危険があり、広告メッセージに含まれたリンクアドレスに接続する場合、当該リンクアドレスを介してウイルスに感染されたり、あるいはユーザが望ましくない少額決済が行われたりする。
【０００３】
そのようなウイルスの感染からスマートフォンを守るために、アンチウイルス・アプリケーションが多数存在するが、そのようなアンチウイルス・プログラム及び／またはアンチウイルス・アプリケーションは、すでに感染されたウイルスを削除したり治療したりする役割を果たすだけであり、リンクされたアドレスがウイルスを感染させるか否かということ、またはユーザが望ましくない少額決済が行われるか否かということをあらかじめ知らせることができないという問題があった。なお、関連先行文献としては、特許文献１が挙げられる。
【先行技術文献】
【特許文献】
【０００４】
【特許文献１】韓国登録特許第１２４６６２４号公報
【発明の概要】
【発明が解決しようとする課題】
【０００５】
本発明は、マーケティングのメッセージに含まれたアドレスの安全状態を判断し、安全なアドレスについてのみ連結させるサービスを提供することを一目的とする。
【０００６】
また、本発明は、マーケティングのメッセージを発送する広告主が要請したアドレスに対して安全なインデックスを生成して提供することを他の目的とする。
【課題を解決するための手段】
【０００７】
前記課題を解決するために本発明は、ユーザ端末から、メッセージに含まれた第１インデックスに対する接続要請を受信する接続要請受信部と、前記第１インデックスと対応する第１アドレスを検索するアドレス検索部と、前記第１アドレスに対応するサイトの安全状態を検索する状態判断部と、前記安全状態の検索結果、前記サイトが安全である場合、前記サイトへのリンクを、前記ユーザ端末に提供するリンク提供部と、を含む安全なメッセージサービス提供装置を提供する。
【０００８】
前記課題を解決するために本発明はまた、ユーザ端末から、メッセージに含まれた第１インデックスに対する接続要請を受信する接続要請受信段階と、前記第１インデックスと対応する第１アドレスを検索するアドレス検索段階と、前記第１アドレスに対応するサイトの安全状態を検索する状態検索段階と、前記安全状態の判断結果、前記サイトが安全である場合、前記サイトへのリンクを、前記ユーザ端末に提供するリンク提供段階を含む安全なメッセージサービス提供方法を提供する。
【０００９】
前記課題を解決するために本発明はまた、コンピュータを利用して、前記方法を実行させるために、媒体に保存されたコンピュータ・プログラムを提供する。
【発明の効果】
【００１０】
本発明によれば、マーケティングのメッセージに含まれたアドレスの安全状態を判断し、安全なアドレスについてのみ連結させるサービスを提供することができる。
【００１１】
また、本発明によれば、マーケティングのメッセージを発送する広告主が要請したアドレスに対して、安全なインデックスを生成して提供することができる。
【図面の簡単な説明】
【００１２】
【図１】本発明の一実施形態による安全なメッセージサービス提供システムを示した図面である。
【図２】本発明の一実施形態による安全なメッセージサービス提供装置の構成を示したブロック図である。
【図３】本発明の一実施形態による安全なメッセージサービス提供方法を示したフローチャートである。
【図４】本発明の他の一実施形態による安全なメッセージサービス提供方法を示したフローチャートである。
【図５】本発明の一実施形態による安全なメッセージサービス提供方法の手順を示した図面である。
【図６】本発明の一実施形態による安全なメッセージサービス提供方法の手順を示した図面である。
【図７】本発明の一実施形態による安全なメッセージサービス提供装置を介してユーザ端末に提供される画面構成の一例である。
【図８】本発明の一実施形態による安全なメッセージサービス提供装置を介して登録者端末に提供される画面構成の一例である。
【発明を実施するための形態】
【００１３】
本発明は、多様な変換を加えることができ、さまざまな実施形態を有することができるが、特定実施形態を図面に例示し、詳細な説明で詳細に説明する。本発明の効果、特徴、及びそれらを達成する方法は、図面と共に詳細に説明する実施形態を参照すれば、明確になるであろう。しかし、本発明は、以下で開示される実施形態に限定されるものではなく、多様な形態に具現されるのである。
【００１４】
以下、添付された図面を参照し、本発明の実施形態について詳細に説明するが、図面を参照して説明するとき、同一であるか、あるいは対応する構成要素は、同一図面符号を付し、それに係わる重複説明は省略する。
【００１５】
以下の実施形態において、第１、第２のような用語は、限定的な意味ではなく、１つの構成要素を他の構成要素から区別する目的に使用されている。
【００１６】
以下の実施形態で、単数の表現は、文脈上明白に取り立てて意味しない限り、複数の表現を含む。
【００１７】
以下の実施形態で、「含む」または「有する」というような用語は、明細書上に記載された特徴または構成要素が存在するということを意味するものであり、１以上の他の特徴または構成要素が付加される可能性をあらかじめ排除するものではない。
【００１８】
ある実施形態が異なって具現可能である場合、特定の工程順序が、説明される順序と異なって遂行されもする。例えば、連続して説明される２工程が実質的に同時に遂行され、説明される順序と反対の順序で進められる。
【００１９】
図１は、本発明の一実施形態による安全なメッセージサービス提供システム１０の構成を示した図面である。
【００２０】
図１を参照すれば、本発明の安全なメッセージサービス提供システム１０は、安全なメッセージサービス提供装置１００、登録者端末３００及びユーザ端末２００を含む。
【００２１】
本発明の一実施形態による安全なメッセージサービス提供装置１００は、登録者端末からアドレス登録要請を受信し、前記アドレス登録要請に含まれたアドレスに対応するインデックスを生成することができる。前記インデックスを介して、前記アドレスが識別されるためには、アドレスに対応していない新たなインデックスが生成されなければならない。
【００２２】
登録者端末３００は、自身のサービスを広報したり、あるいはイベントを知らせたりするサイトのアドレスに対して、アドレス登録要請を行うことができ、安全なメッセージサービス提供装置１００から提供されたインデックスを含む広告メッセージを、一つ以上のユーザ端末２００に伝送することによって、自身のサービス、イベントなどを知らせることができる。そのような安全なメッセージサービス提供装置１００を介して付与されたインデックスにより、ユーザに自身の広告メッセージが安全なメッセージであるという認識を与えることができ、ユーザからさらに多くの接続を誘導することができる。
【００２３】
本発明の一実施形態による安全なメッセージサービス提供装置１００は、ユーザ端末２００からの、広告文字メッセージに含まれたインデックスに対する接続要請による安全状態を判断し、判断結果、接続要請（アドレス）に安全であるとする場合、ユーザ端末２００に、前記広告メッセージに含まれたインデックスと対応するアドレスへのリンクを提供することができる。安全なメッセージサービス提供装置１００を介して、ユーザ端末２００は、知ることのできないアドレスに接続することによるウイルス感染を避けることができ、望ましくない少額決済などを避けることができる。ここで、接続要請の安全状態は、前記接続要請に含まれたインデックスと対応するアドレスの安全状態として周期的に判断される。安全なアドレスについては、後述する図２の説明で詳細に説明する。
【００２４】
本発明の一実施形態による安全なメッセージサービス提供装置１００は、接続要請を行ったユーザ端末に、差別化された報酬などを提供することができるが、そのように提供される報酬を介して、ユーザをして、広告ページに接続させる頻度をさらに高めることができる。また、安全なメッセージサービス提供装置１００から受けたインデックスを含んだ広告メッセージによって、マーケティング効果が増大する。ここで、報酬は、マイレージ、ポイント、キャッシュバックなどであり、そのような報酬を利用して、ユーザ端末は、無料でメッセージを伝送したり、あるいはショッピングモールでの購買代金をディスカウントされたりする。
【００２５】
ユーザは、ユーザ端末２００を介して、安全なメッセージサービス提供装置１００に接続することができる。ここで、ユーザ端末２００は、ユーザのパーソナルコンピュータ２０１でもあり、またはユーザの携帯用端末２０２でもある。ユーザの携帯用端末は、スマートフォン、タブレットＰＣ（personal computer）、スマートウォッチなどでもあり、以外のウェブブラウジングが可能なアプリケーションを搭載した端末は制限なしに借用されることができる。ユーザ端末２００は、画面を表示する表示部及びユーザからデータを入力受ける入力装置を具備する。入力装置はキーボード、マウス、トラックボール、マイク、ボタン、タッチパネルなどを含むが、それらに限定されるものではない。
【００２６】
広告、イベントなどのメッセージを伝送する広告主は、登録者端末３００を介して、安全なメッセージサービス提供装置１００に接続することができる。ここで、登録者端末３００は、登録者のパーソナルコンピュータ３０１でもあり、または登録者の携帯用端末３０２でもある。登録者の携帯用端末は、スマートフォン、タブレットＰＣ、スマートウォッチなどでもあり、それ以外のウェブブラウジングが可能なアプリケーションを搭載した端末は、制限なしに借用される。登録者端末３００は、画面を表示する表示部、及び登録者からデータを入力される入力装置を具備する。該入力装置は、キーボード、マウス、トラックボール、マイク、ボタン、タッチパネルなどを含むが、それらに限定されるものではない。
【００２７】
本発明の一実施形態によって提供される安全なメッセージサービス提供システム１０の安全なメッセージサービス提供装置１００、ユーザ端末２００及び登録者端末３００は、インターネットのような有無線通信方法を介して連結されるが、それらに限定されるものではない。
【００２８】
一方、通信網４００は、複数個のユーザ端末２００、登録者端末３００及び安全なメッセージサービス提供装置１００を連結する役割を行う。すなわち、通信網４００は、ユーザ端末または登録者端末が、安全なメッセージサービス提供装置１００に接続した後、データを送受信することができるように、接続経路を提供する通信網を意味する。
【００２９】
図２は、本発明の一実施形態による安全なメッセージサービス提供装置１００の構成を示したブロック図である。
【００３０】
図２を参照すれば、安全なメッセージサービス提供装置１００は、インターフェース部１１０、接続要請受信部１２０、アドレス検索部１２１、状態検索部１２２、状態判断部１２３、リンク提供部１２４、登録要請受信部１２５、インデックス生成部１２６、インデックス伝送部１２７、報酬提供部１２８、保存部１２９、データベース１３０を含んでもよい。
【００３１】
インターフェース部１１０は、通信網と連動し、安全なメッセージサービス提供装置１００とユーザ端末２００との送受信信号、または安全なメッセージサービス提供装置１００と登録者端末３００との送受信信号をパケットデータ形態に提供するのに必要な通信インターフェースを提供する。
【００３２】
接続要請受信部１２０は、ユーザ端末２００から、メッセージに含まれた第１インデックスに対する接続要請を受信する。ここで、該メッセージは、登録者端末３００からユーザ端末２００が受信したものであり、モバイルメッセンジャ・アプリケーションを介して受信したメッセージ、及び／または移動通信を介して直接受信したメッセージを含んでもよい。図７（ａ）の画面のように、ユーザ端末２００がメッセージを受信することができ、ユーザ端末２００が受信したメッセージに含まれた第１インデックス７０１を選択すれば、接続要請が安全なメッセージサービス提供装置１００に伝送される。
【００３３】
アドレス検索部１２１は、接続要請に含まれた第１インデックスと対応する第１アドレスを検索する。第１インデックスと対応する第１アドレスを検索するのに先立ち、前記第１インデックスが、安全なメッセージサービス提供装置１００によって付与されたインデックスでるか否かということを、まず判断することができる。判断結果、第１インデックスが、安全なメッセージサービス提供装置１００によって付与されたものではない場合、ユーザ端末２００に、接続不可であるということを知らせるか、あるいは当該アドレスは、知ることのできないアドレスであるということを知らせる。図７に図示されているように、アドレス検索部１２１は、第１インデックス７０１と対応する第１アドレス７０３を検索することができる。
【００３４】
状態検索部１２２は、第１アドレスに対応するサイト７０２の安全状態を検索する。図７（ｂ）に図示されているように、当該画面がユーザ端末２００にローディングされる間、本発明の一実施形態による安全なメッセージサービス提供装置１００は、第１アドレスに対応するサイトの保安検査を行い、前記第１アドレスの安全状態を検索する。
【００３５】
状態判断部１２３は、本発明の一実施形態による安全なメッセージサービス提供装置に登録された１以上のインデックスに対応するアドレスの安全状態を判断し、データベース１３０に保存することができる。ここで、第１アドレスに対応するサイトの安全状態を判断することは、第１アドレスに対応するサイトへの接続により、悪性コード及び／またはウイルスに感染されるか否かということを判断したり、あるいは第１アドレスに対応するサイトが不法賭博サイト、アダルトサイト、貸付広告サイト、代理運転サイトのような有害なサイトであるか否かということを判断したりすることを意味する。実際、広告メッセージを受信したユーザが、当該広告メッセージのサイトに移動をためらう理由は、知ることのできない広告メッセージを介したサイト接続を介して、ユーザ端末が悪性コード及び／またはウイルスに感染されるからであるが、本発明の一実施形態による安全なメッセージサービス提供装置１００を介して付与されたインデックスを含む広告メッセージは、そのような危険性を顕著に低くしたり、あるいは除去したりすることができる。すなわち、本発明の一実施形態による安全なメッセージサービス提供装置１００を介して、インデックスなしに伝送された広告メッセージに比べ、さらに多くの接続をユーザ端末２００から誘導することができる。
【００３６】
リンク提供部１２４は、安全状態の検索結果、前記サイトが安全である場合、前記サイトへのリンクを、ユーザ端末２００に提供する。そのとき、リンク提供部１２４は、当該サイトへの移動を直ちに提供することもできる。
【００３７】
報酬提供部１２６は、第１インデックスに対する接続要請を行ったユーザ端末２００に、前記第１インデックスに対応する報酬を提供する。報酬提供部１２６を介して付与されたインデックスへの接続要請を行ったユーザ端末には、無料で文字メッセージを送信したり、あるいはショッピングモールなどで、現金として使用したりすることができるマイレージ、ポイントなどの報酬を提供する。
【００３８】
保存部１２９は、前記状態判断部１２３を介して判断された安全状態を、前記第１インデックスと対応して保存することができる。第１インデックスに対する安全状態は、安全、安全ではないというような評価で保存されるが、それに限定されるものではない。
【００３９】
本発明の一実施形態による安全なメッセージサービス提供装置１００は、登録者端末３００のための登録要請受信部１２５、インデックス生成部１２６、インデックス伝送部１２７を含んでもよい。
【００４０】
登録要請受信部１２４は、登録者端末３００から、第２アドレスを含むサイト登録要請を受信することができる。広告メッセージ、イベントメッセージを、複数のユーザ端末に送信する登録者端末３００は、ユーザ端末２００に提供するページである第２アドレスを、安全なメッセージサービス提供装置１００に登録する登録要請を行う。
【００４１】
ここで、サイト登録要請は、生成されるインデックスに含まれなければならない慣用的なアドレスを含んでもよい。登録者端末がサイト登録要請を伝送する前に、インデックスに含まれる慣用的なアドレスを選択することができる。慣用的なアドレスは、安全なメッセージサービス提供装置がサービスを提供するために確保したＵＲＬ（uniform resource locator）、ラベル、コード及び／またはタグなどにもなる。
【００４２】
インデックス生成部１２６は、サイト登録要請に含まれた第２アドレスに対応する第２インデックスを生成する。そのとき、インデックス生成部１２６は、安全状態判断部１２３を介して、前記第２アドレスの安全状態を判断した結果、前記第２アドレスが安全である場合にのみ、前記第２アドレスのための第２インデックスを生成することができる。
【００４３】
インデックス生成部１２６は、第２インデックスを生成するとき、慣用的なアドレスを含んで生成することができる。ここで、慣用的なアドレスは、安全なメッセージサービス提供装置が安全なメッセージサービスのために確保した１以上のＵＲＬでもある。例えば、慣用的なアドレスは、図８に図示されているように、安全文字．韓国、安全文字．ｋｒ、安全文字．ｃｏｍ、安全文字．ｎｅｔ、安全文字．ａｓｉａ、安全文字．ｏｒｇ、安全文字、安全文字．ｔｖ、安全文字．ｃｃ、安全文字．ｂｉｚ、安全文字．ｉｎｆｏ、安全文字．ｎａｍｅ、安全文字．ｔｅｌでもあるが、それらに限定されるものではない。本発明の一実施形態による安全なメッセージサービス提供装置１００は、同一の慣用的なアドレスを含むインデックスを生成するが、インデックスが特定慣用的なアドレスを含むことにより、ユーザに前記インデックスが安全なアドレスであるとういことを示すことができる。
【００４４】
第２アドレスに対応する第２インデックスは、安全なメッセージサービス提供装置１００に登録された１以上のアドレスに係わるインデックスとは区分されるように生成されなければならない。本発明の一実施形態による安全なメッセージサービス提供装置１００によって生成されたインデックスは、テキスト、イメージ及び／またはコードでもある。ここで、生成する方法については特別な制限がなく、ランダム値を生成するアルゴリズムが使用される。
【００４５】
インデックス伝送部１２７は、インデックス生成部１２６を介して生成された第２インデックスを、登録者端末に伝送することができる。
【００４６】
データベース１３０は、生成されたインデックスリスト、前記インデックス及び前記インデックスと対応するアドレスをマッピングしたテーブル、並びに前記アドレスに対応し、前記アドレスに対する安全状態を保存することができる。データベース１３０は、本発明の一実施形態による安全なメッセージサービス提供装置１００内に具備されるか、あるいは別途の装置に含まれてもよい。別途の装置にあるデータベースである場合、インターフェース部１１０を介して、本発明の一実施形態による安全なメッセージサービス提供装置１００とデータベース１３０とがデータをやり取りすることができる。
【００４７】
図３は、本発明の一実施形態による安全なメッセージサービス提供方法を示したフローチャートである。
【００４８】
図３を参照すれば、本発明の一実施形態による安全なメッセージサービス提供方法は、接続要請受信段階（Ｓ１１０）、アドレス検索段階（Ｓ１１１）、状態検索段階（Ｓ１１２）、リンク提供段階（Ｓ１１３）、報酬提供段階（Ｓ１１４）を含んでもよい。
【００４９】
段階Ｓ１１０では、ユーザ端末から、メッセージに含まれた第１インデックスに対する接続要請を受信する。ここで、該メッセージは、登録者端末からユーザ端末が受信したものであり、モバイルメッセンジャ・アプリケーションを介して受信したメッセージ、及び／または移動通信を介して直接受信したメッセージを含んでもよい。
【００５０】
段階Ｓ１１１では、接続要請に含まれた第１インデックスと対応する第１アドレスを検索する。段階Ｓ１１１では、第１インデックスと対応する第１アドレスを検索するのに先立ち、前記第１インデックスが、安全なメッセージサービス提供装置によって付与されたインデックスであるか否かということを、まず判断することもできる。判断結果、第１インデックスが、安全なメッセージサービス提供装置によって付与されたものではない場合、ユーザ端末に、接続不可であるということを知らせるか、当該アドレスが、知ることのできないアドレスであるということを知らせる。
【００５１】
段階Ｓ１１２では、第１アドレスに対応するサイトの安全状態を検索する。本発明の一実施形態による安全なメッセージサービス提供方法は、周期的に、第１インデックスと対応する第１アドレスの安全状態を判断し、データベースに保存することができる。保存された安全状態リストのうち、前記第１アドレスに対応するサイトの安全状態を検索することができる。段階Ｓ１１２において、第１アドレスに対応するサイトの安全状態を検索する間、図７（ｂ）に図示されているような画面がユーザ端末にローディングされる。
【００５２】
ここで、第１アドレスに対応するサイトの安全状態を判断することは、第１アドレスに対応するサイトへの接続によって、悪性コード及び／またはウイルスに感染されるか否かということを判断したり、あるいは第１アドレスに対応するサイトが、不法賭博サイト、アダルトサイト、貸付広告サイト、代理運転サイトのような有害なサイトであるか否かということを判断したりすることを意味する。段階Ｓ１１３では、安全状態の検索結果、前記サイトが安全である場合、前記サイトへのリンクをユーザ端末に提供する。サイトへのリンクを提供するだけではなく、当該サイトへの移動を直ちに提供することもできる。
【００５３】
段階Ｓ１１４では、第１インデックスに対する接続要請を行ったユーザ端末に、前記第１インデックスに対応する報酬を提供する。ここで、該報酬は、マイレージ、ポイント、クーポン、現金キャッシュバックを含み、提供された報酬をもって、無料で文字メッセージを送信したり、あるいはショッピングモールなどで現金として使用したりすることができる。
【００５４】
本発明の一実施形態による安全なメッセージサービス提供方法は、判断された安全状態を、前記第１インデックスと対応して保存する段階（図示せず）をさらに含んでもよい。
【００５５】
図４は、本発明の他の一実施形態による安全なメッセージサービス提供方法を示したフローチャートである。
【００５６】
図４を参照すれば、本発明の一実施形態による安全なメッセージサービス提供方法は、登録要請受信段階（Ｓ２１０）、インデックス生成段階（Ｓ２１１）、インデックス伝送段階（Ｓ２１２）を含んでもよい。
【００５７】
段階Ｓ２１０では、登録者端末から、第２アドレスを含むサイト登録要請を受信することができる。安全なメッセージサービス提供装置に、特定アドレスを登録するためには、まず前記特定アドレス登録要請を、安全なメッセージサービス提供装置にしなければならない。ここで、特定アドレスは、登録者端末が、複数のユーザ端末伝送する広告ページ、イベントページなどでもある。
【００５８】
ここで、サイト登録要請は、生成されるインデックスに含まれなければならない慣用的なアドレスを含むが、本発明の一実施形態による安全なメッセージサービス提供方法は、サイト登録要請を伝送する前に、登録者端末からインデックスに含まれる慣用的なアドレスを選択されて受信することができる。Ｓ２１１では、サイト登録要請に含まれた第２アドレスに対応する第２インデックスを生成する。Ｓ２１１では、前記第２アドレスの安全状態を判断した結果、前記第２アドレスが安全である場合にのみ、前記第２アドレスのための第２インデックスを生成することができる。
【００５９】
段階Ｓ２１１では、第２インデックスを生成するとき、慣用的なアドレスを含んで生成することができる。ここで、慣用的なアドレスは、安全なメッセージサービス提供装置がサービスを提供するために確保したＵＲＬ、ラベル、コード及び／またはタグなどにもなる。例えば、慣用的なアドレスは、図８に図示されているように、安全文字．韓国、安全文字．ｋｒ、安全文字．ｃｏｍ、安全文字．ｎｅｔ、安全文字．ａｓｉａ、安全文字．ｏｒｇ、安全文字、安全文字．ｔｖ、安全文字．ｃｃ、安全文字．ｂｉｚ、安全文字．ｉｎｆｏ、安全文字．ｎａｍｅ、安全文字．ｔｅｌでもあるが、それらに限定されるものではない。第１インデックス及び第２インデックスは、同一の慣用的なアドレスを含んでもよく、それを介して、ユーザに、第１インデックス及び第２インデックスが安全なサイトであるということを示すことができる。
【００６０】
第２アドレスに対応する第２インデックスは、安全なメッセージサービス提供装置１００に登録された１以上のアドレスに係わるインデックスとは区分されるように生成されなければならない。本発明の一実施形態による安全なメッセージサービス提供装置１００によって生成されたインデックスは、テキスト、イメージ及び／またはコードでもあるが、それらに限定されるものではない。ここで、生成する方法については特別な制限がなく、ランダム値を生成するアルゴリズムが使用されてもよい。
【００６１】
段階Ｓ２１２では、生成された第２インデックスを登録者端末に伝送することができる。
【００６２】
図５は、本発明の一実施形態による安全なメッセージサービス提供方法の手順を示した図面である。
【００６３】
図５を参照すれば、登録者端末３００は、広告ページ、イベントページのような複数のユーザに提供するページに対して、サイト登録要請を安全なメッセージサービス提供装置１００に伝送する（Ｓ５０１）。安全なメッセージサービス提供装置１００は、第１アドレスに対応する第１インデックスを生成し（Ｓ５０２）、登録者端末３００に提供する（Ｓ５０４）。安全なメッセージサービス提供装置１００は、第１アドレスの安全状態を判断し、判断の結果、安全なアドレスである場合にのみ、第１アドレスに対応する第１インデックスを生成することができる（Ｓ５０３）。安全なメッセージサービス提供装置１００から受信された第１インデックスを利用して、登録者端末３００は、マーケティングメッセージを、１以上のユーザ端末２００に伝送する（Ｓ５０５）。
【００６４】
図６は、本発明の一実施形態による安全なメッセージサービス提供方法の手順を示した図面である。
【００６５】
図６を参照すれば、登録者端末３００が、ユーザ端末２００に広告メッセージを伝送する（Ｓ６０１）。ユーザ端末２００によって、前記マーケティングメッセージメッセージに含まれた第２インデックスを選択することによって、接続を試みれば（Ｓ６０２）、接続要請が安全なメッセージサービス提供装置１００に伝送される（Ｓ６０３）。安全サービス提供装置１００は、接続要請により、第２インデックスと対応する第２アドレスを検索し（Ｓ６０４）、前記第２アドレスの安全状態を検索し（Ｓ６０５）、安全状態の検索結果、第２アドレスが安全である場合、第２アドレスに係わるリンクをユーザ端末に提供する（Ｓ６０６）。
【００６６】
図７（ａ）を参照すれば、「ｗｗｗ．安全文字．ｋｒ／３４９５８７３７６」は、本発明の一実施形態による安全なメッセージサービス提供装置１００によって生成されたインデックスになる。そのような第１インデックスに対して接続を試みれば、本発明の一実施形態による安全なメッセージサービス提供装置１００は、実際インデックスと対応するアドレスである「ｍｏｂｉｌｅｆａｒｍｓ．ｃｏ．ｋｒ／ａｒｈｅ」に接続させる。「ｍｏｂｉｌｅｆａｒｍｓ．ｃｏ．ｋｒ／ａｒｈｅ」の安全状態を判断し、安全なアドレスである場合にのみ接続させるということは言うまでもない。
【００６７】
以上で説明した本発明による実施形態は、コンピュータ上で多様な構成要素を介して実行されるコンピュータ・プログラムの形態で具現され、そのようなコンピュータ・プログラムは、コンピュータで読み取り可能な媒体に記録される。そのとき、該媒体は、ハードディスク、フロッピー（登録商標）ディスク及び磁気テープのような磁気媒体；ＣＤ（compact disc）−ＲＯＭ（read only memory）及びＤＶＤ（digital versatile disc）のような光記録媒体；フロプティカルディスク（floptical disk）のような磁気・光媒体（magneto-optical medium）；及びＲＯＭ、ＲＡＭ（random access memory）、フラッシュメモリのような、プログラム命令語を保存して実行するように特別に構成されたハードウェア装置；を含んでもよい。さらに、該媒体はネットワーク上で伝送可能な形態に具現される無形の媒体をも含み、例えばソ、フトウェア形態またはアプリケーション形態で具現され、ネットワークを介して伝送及び流通が可能な形態の媒体でもある。
【００６８】
一方、前記コンピュータ・プログラムは、本発明のために特別に設計されて構成されたものでもあり、コンピュータ・ソフトウェア分野の当業者に公知されて使用可能なものでもある。コンピュータ・プログラムの例としては、コンパイラによって作われるような機械語コードだけではなく、インタープリタなどを使用して、コンピュータによって実行される高級言語コードも含まれる。
【００６９】
本発明で説明する特定実行は、一実施形態であり、いかなる方法によっても本発明の範囲を限定するものではない。明細書の簡潔さのために、従来の電子的な構成、制御システム、ソフトウェア、前記システムの他の機能的な側面の記載は省略されている。また、図面に図示された構成要素間の線の連結または連結部材は、機能的な連結及び／または物理的または回路的な連結を例示的に示したものであり、実際の装置では、代替可能であったり追加したりする多様な機能的な連結、物理的な連結または回路の連結としても示される。また、「必須である」、「重要である」というような具体的な言及がなければ、本発明の適用のために必ずしも必要な構成要素ではないこともある。
【００７０】
本発明の明細書（特に、特許請求の範囲）において、「前記」の用語及びそれと類似した指示用語の使用は、単数及び複数のいずれにも該当するものである。また、本発明において、範囲（range）を記載した場合、前記範囲に属する個別的な値を適用した発明を含むものであり（それに反する記載がなければ）、発明の詳細な説明に、前記範囲を構成する各個別的な値を記載している通りである。最後に、本発明による方法を構成する段階について、明白に手順を記載したり、あるいはそれに反する記載がなければ、前記段階は、適当な手順によって実行されたりする。必ずしも前記段階の記載順によって本発明が限定されるものではない。本発明において、全ての例または例示的な用語（例えば、などなど）の使用は、単に本発明について詳細に説明するためのものであり、特許請求の範囲によって限定されない以上、前記例または例示的な用語によって、本発明の範囲が限定されるものではない。また、当業者は、多様な修正、組み合わせ及び変更が付加された特許請求の範囲またはその均等物の範疇内で、設計条件及びファクタによって構成可能であるということが分かるであろう。
【産業上の利用可能性】
【００７１】
本発明の安全なメッセージサービス提供装置及びその方法、並びにそれをコンピュータで実行するためのコンピュータ・プログラムは、例えば、ウェブ・マーケッティング関連の技術分野に効果的に適用可能である。
【符号の説明】
【００７２】
１０・・・安全なメッセージサービス提供システム
１００・・・安全なメッセージサービス提供装置
１１０・・・インターフェース部
１２０・・・接続要請受信部
１２１・・・アドレス検索部
１２２・・・状態検索部
１２３・・・状態判断部
１２４・・・リンク提供部
１２５・・・登録要請受信部
１２６・・・インデックス生成部
１２７    インデックス伝送部
１２８・・・報酬提供部
１２９・・・保存部
１３０・・・データベース
２００・・・ユーザ端末
２０１・・・ユーザのパーソナルコンピュータ
２０２・・・ユーザの携帯用端末
３００・・・登録者端末
３０１・・・登録者のパーソナルコンピュータ
３０２・・・登録者の携帯用端末
４００・・・通信網
７０１・・・第１インデックス
７０２・・・第１アドレスに対応するサイト
７０３・・・第１アドレス
【図１】
0006275085.tif 000002
【図２】
0006275085.tif 000003
【図３】
0006275085.tif 000004
【図４】
0006275085.tif 000005
【図５】
0006275085.tif 000006
【図６】
0006275085.tif 000007
【図７】
0006275085.tif 000008
【図８】
0006275085.tif 000009